(57)【特許請求の範囲】
【請求項１】
筐体と；
上記筐体の開口部を塞ぐ扉と；
上記開口部を塞いだ扉とほぼ平行に設けられ、上記筐体内に設けられている第１の基板と；
上記第１の基板とほぼ平行に設けられ、上記第１の基板と間隔を空けて、上記筐体内に設けられている第２の基板と；
を有する火災受信機において、
上記第２の基板の端面と上記筐体の内壁との間に配線用の空間が形成されるように、上記第２の基板は、上記筐体の内壁から所定の距離を隔てて設けられ、
上記第１の基板は、上記第２の基板の上部に、互いに所定の距離を隔てて重なって設けられると共に、上記第１の基板は、上記配線用の空間のない端部に設けた蝶番によって上記扉側に回動可能とされていることを特徴とする火災受信機。
【請求項２】
請求項１において、
上記第１の基板を搭載する基板搭載部を設け、上記基板搭載部の端部を上記蝶番を用いて、上記本体の内壁に固定することを特徴とする火災受信機。
【請求項３】
請求項２において、
上記基板搭載部は、上記第1の基板が搭載されている面とは反対側の面に第３の基板が搭載されることを特徴とする火災受信機。
【請求項４】
請求項１〜請求項３のいずれか１項において、
上記第１の基板と上記第２の基板とが、上記第１の基板の方向と直交する方向で、重なって設けられると共に、上記第２の基板の端面を、上記第1の基板から突出させていることを特徴とする火災受信機。
【発明の詳細な説明】
【０００１】
【発明の属する技術分野】
本発明は、筐体と、この筐体の開口部を塞ぐ扉とを具備し、上記筐体内に基板を格納する火災受信機に関する。
【０００２】
【従来の技術】
図７は、従来の火災受信機２００を示す斜視図である。
【０００３】
火災受信機２００を構成する筐体１１０内に、基板１５０、１６０が設けられている。
【０００４】
基板１５０は、基板搭載板１３０を介して、内壁１１２に固定され、基板１６０は、基板搭載板１４０を介して、内壁１１２に固定されている。
【０００５】
また、基板１５０と基板１６０とは、扉１２０が開口部１１１を塞いだ場合、この扉１２０に対してほぼ平行に設けられ、さらに、基板１５０と基板１６０とは、筐体１１０の内壁１１２に対して設けられ、その結果、ほぼ同一平面上に並べられている。
【０００６】
また、火災受信機２００は、開口部１１１を塞ぐ扉１２０を具備する。筐体１１０と蓋１２０とは、蝶番１２１を介して接続されている。また、扉１２０には扉固定金具１７０が設けられている。
【０００７】
そして、扉１２０を回動させ、扉の周縁１２２が筐体の周縁１１３に当接したときに、扉固定金具１７０を用いて、扉１２０を筐体の周縁１１３に固定し、開口部１１１を扉１２０で塞ぐ。
【０００８】
【発明が解決しようとする課題】
従来の火災受信機２００では、基板１５０と基板１６０との２枚の基板の面積の合計面積以上のスペースを筐体１１０内に確保する必要があり、収納する基板枚数が増えるほど、筐体１１０の設置面積が大きくなるという問題がある。
【０００９】
つまり、火災受信機の筐体内に複数の基板を設けた場合、火災受信機の設置面積を、上記複数の基板を同一平面上に並べて設けたときよりもコンパクトにしたいという要請に応えることができないという問題がある。
【００１０】
また、扉１２０で開口部１１１を塞いだときに、筐体１１０や扉１２０の製作時等に発生する筐体１１０や扉１２０のわずかな歪によって、扉の周縁１２２と筐体の周縁１１３との間に僅かな隙間が生じ、火災受信機２００を船舶に設置した場合、上記隙間から火災受信機２００の内部に水が入るおそれがあるという問題がある。
【００１１】
つまり、船舶に設置され、筐体とこの筐体の開口部を塞ぐ扉とを有する火災受信機において、上記開口部を上記扉によって塞いだ場合、上記扉と上記筐体の開口部の周縁との隙間から、上記火災受信機内に水が入ると、内部の電気部品が機能しなくなり、装置全体がダウンすることになるという問題がある。
【００１２】
本発明は、火災受信機の筐体内に複数の基板を設けた場合、火災受信機の設置面積を、上記複数の基板を同一平面上に並べて設けたときよりもコンパクトにすることができる火災受信機を提供することを目的とする。
【００１３】
また、本発明は、船舶に設置され、筐体とこの筐体の開口部を塞ぐ扉とを有する火災受信機において、上記開口部を上記扉によって塞いだ場合、上記扉と上記筐体の開口部の周縁との隙間から、上記火災受信機内に水が入ることを阻止することができる火災受信機を提供することを目的とする。
【００１４】
【課題を解決するための手段】
本発明は、筐体と、上記筐体の開口部を塞ぐ扉と、上記開口部を塞いだ扉とほぼ平行に設けられ、上記筐体内に設けられている第１の基板と、上記第１の基板とほぼ平行に設けられ、上記第１の基板と間隔を空けて、上記筐体内に設けられている第２の基板とを有する火災受信機において、上記第２の基板の端面と上記筐体の内壁との間に配線用の空間が形成されるように、上記第２の基板は、上記筐体の内壁から所定の距離を隔てて設けられ、上記第１の基板は、上記第２の基板の上部に、互いに所定の距離を隔てて重なって設けられると共に、上記第１の基板は、上記配線用の空間のない端部に設けた蝶番によって上記扉側に回動可能とされていることを特徴とする火災受信機である。
【００１６】
【発明の実施の形態および実施例】
図１は、本発明の実施例である火災受信機１００の構成を示す斜視図である。
【００１７】
図２は、図１におけるＩＩ―ＩＩ’断面を示す火災受信機１００の断面図である。
【００１８】
図２（２）は、図２（１）で示すＩＩａ部の拡大図である。
【００１９】
図３は、火災受信機１００の正面図である。
【００２０】
なお、図３では、扉２０の記載を省略している。
【００２１】
火災受信機１００は、筐体１０と、扉２０と、基板搭載板３０、４０と、基板７０、８０と、固定部５０と、基板保持部６０と、扉固定具９０とを有する。
【００２２】
筐体１０は、開口部１１を具備し、また、開口部の周縁１７には平面部が形成され、この平面部が、パッキン２３を介して扉２０と当接するようになっている。
【００２３】
筐体１０の開口部の周縁１７と、扉２０の端部とが、蝶番２４を用いて連結されている。そして、扉２０が回動し、筐体１０の開口部１１を塞ぐようになっている。
【００２４】
また、扉の周縁２２には平面部が形成され、この平面部には略平板状のパッキン２３が設けられている。なお、扉２０にパッキン２３を設ける代わりに、筐体１０の開口部の周縁１７に、パッキン２３を設けてもよい。すなわち、扉２０を閉めたときに、扉２０と、開口部の周縁１７とに、パッキン２３が挟まれるようにすればよい。
【００２５】
さらに、蝶番２４が設けられている端部とは反対側の端部に、扉２０の扉固定具９０が設けられている。
【００２６】
扉固定具９０は、舌片９１と、軸ホルダ９２と、軸９３と、ハンドル９４とを具備する。
【００２７】
軸ホルダ９２は、扉２０に気密に固定され、軸９３は、軸ホルダ９２に対して回動できるようになっている。また、軸ホルダ９２の両端の２つの止輪９５によって、軸９３が軸方向の運動を阻止されている。
【００２８】
また、軸９３の一方の端部であって、扉２０を閉めたときに筐体１０の内側に位置する端部には、舌片９１が固定され、軸９３の他方の端部であって、扉２０を閉めたときに筐体１０の外側に位置する端部には、ハンドル９４が固定されている。また、舌片９１は、勾配部分９１ａと、平坦部分９１ｂとを有する。
【００２９】
そして、扉２０を閉めたときに、舌片９１が開口部の周縁１７に引っ掛かることによって、扉２０に対して、開口部の周縁１７を付勢する。
【００３０】
すなわち、扉２０を閉めた後に、ハンドル９４を回動させると、舌片９１が回動し、開口部の周縁１７と勾配部分９１ａとが接触し、さらに、ハンドル９４を回動すると、平坦部分９１ｂと周縁１７とが接触し、扉２０の周縁２２が筐体１０の開口部の周縁１７に引き寄せられ、パッキン２３が押しつぶされるようになっている。
【００３１】
なお、火災受信機１００では、舌片９１を回動するようにしているが、舌片を直線運動等によって移動させ、パッキン２３を押しつぶすように付勢してもよい。
【００３２】
基板７０は、開口部１１を塞いでいる扉２０とほぼ平行に設けられ、しかも、筐体１０内に設けられている。また、基板８０は、基板７０とほぼ平行に設けられ、しかも、基板７０と間隔を空けて、筐体１０内に設けられている。さらに、基板７０の一部と基板８０の一部とが、基板７０の方向と直交する方向から覗いた場合、互いに重なっている。すなわち、基板７０と基板８０との投影面積は、両方の合計面積よりも小さくなっている。
【００３３】
ここで、基板７０の全部と基板８０の全部とが、基板７０の方向と直交する方向で、互いに重なるようにしてもよい。また、基板７０の一部と基板８０の全部とが、基板７０の方向と直交する方向で、互いに重なるようにしてもよい。さらに、基板７０の全部と基板８０の一部とが、基板７０の方向と直交する方向で、互いに重なるようにしてもよい。つまり、基板７０の少なくとも一部と基板８０の少なくとも一部とが、基板７０の方向と直交する方向で、互いに重なるように設定されている。換言すれば、基板７０と基板８０との投影面積が、それぞれ１枚の面積より大きいとともに、両方の合計面積よりも小さく設定されている。
【００３４】
また、基板搭載板３０は基板７０を搭載し、基板搭載板４０は基板８０を搭載し、基板８０よりも開口部１１を塞いだ扉２０の近くに、基板７０が設けられている。ここで、基板７０は、ボルトＢＴとスペーサＳＰとを用いて、基板搭載板３０に搭載され、基板８０は、ボルトＢＴとスペーサＳＰとを用いて、基板搭載板４０に搭載されている。
【００３５】
さらに、筐体１０の内壁１５から所定の距離を隔てて、基板７０が設けられている。なお、内壁１５は、基板７０の１つの端面７１に対向する筐体内壁である。
【００３６】
また、基板８０の１つの端面８１が、筐体１０の内壁１４から所定の距離を隔てて、設けられている。なお、端面８１は、基板７０の方向と直交する方向で、基板７０から突出している端面（基板７０とは互いに重なっていない端面）であり、筐体１０の内壁１４は、基板８０の端面８１に対向する筐体１０の内壁である。
【００３７】
また、基板搭載板３０は、基板７０が搭載されている面とは反対側の面に基板７０ａを搭載している。すなわち、基板７０と基板７０ａとの間に、基板搭載板３０が設けられ、基板７０と基板７０ａとが基板搭載板３０の両面のそれぞれに固定されている。また、基板７０ａは、基板７０とほぼ平行に設けられ、しかも、基板７０の一部と基板７０ａの全部とが、基板７０の方向と直交する方向で、互いに重なっている。
【００３８】
つまり、基板７０の少なくとも一部と基板７０ａの少なくとも一部とが、基板７０の方向と直交する方向で、互いに重なるように設定されている。
【００３９】
また、固定部５０は、筐体１０の内壁１３に固定されている。基板搭載板３０の端部３１が、蝶番３５を用いて、固定部５０に連結されている。なお、蝶番３５の代わりにボルトを用いて、基板搭載板３０の端部３１を固定部５０に固定してもよい。また、固定部５０を削除し、基板搭載板３０の端部３１を、筐体１０の内壁１３に直接固定してもよい。なお、基板搭載板３０の端部３１を筐体１０の内壁１３側に寄せることで、固定部５０は内壁１３を利用して形成し、対向する基板保持部６０は、内壁１４から離れるので、筐体１０の背面から立設されることになる。
【００４０】
基板保持部６０は、開口部１１を塞いだ扉２０と対向する筐体１０の内壁１２に設けられている。そして、端部３１とは異なる端部であって、基板搭載板３０を構成する端部３２が、基板保持部６０に、ボルトＢＴを用いて固定されている。この基板保持部６０側へのボルトＢＴによる固定は、筐体１０の内壁１３や扉２０で邪魔にならない。
【００４１】
なお、基板搭載板３０の端部３１を、ボルトを用いて固定部５０に固定し、基板搭載板３０の端部３２を、蝶番を用いて基板保持部６０に固定するようにしてもよい。すなわち、基板搭載板３０の端部３１と、基板搭載板３０の端部３２とのうちの一方の端部を、蝶番を用いて連結するようにしてもよい。そして、蝶番が端部３２側にあると、基板保持部６０の開度が、扉２０の開度に影響しない。
【００４２】
また、基板搭載板３０、４０は、基板搭載部の例であり、基板搭載板３０、４０を板以外の形状としてもよい。
【００４３】
基板７０は、火災受信機１００に関する情報を表示するＬＣＤ７２とＬＥＤ７３とを有し、ＬＣＤ７２とＬＥＤ７３とが設けられている位置に対応する位置に、扉２０が窓２１を有する。なお、窓２１には、ガラス、または透明プラスチックが固定されている。
【００４４】
次に、火災受信機１００内に基板７０、８０を設ける動作について説明する。
【００４５】
筐体１０の内壁１２に、基板搭載板４０を設け、この基板搭載板４０に基板８０を搭載する。なお、基板８０の端面８１と筐体１０の内壁１４との間に形成されている空間ＳＰ１が、基板８０への配線に使用される。
【００４６】
次に、筐体１０の内壁１２に基板保持部６０を設け、筐体１０の内壁１３に固定部５０を設け、固定部５０と基板保持部６０とに、基板７０ａが搭載されている基板搭載板３０を固定する。続いて、基板搭載板３０に基板７０を搭載する。このようにして設けられた基板８０と基板７０とは、基板７０の方向と直交する方向で、互いに重なっている。なお、基板搭載板３０は、基板７０、７０ａを搭載してから、固定部５０と基板保持部６０に固定してもよい。
【００４７】
なお、基板８０の端面８１と筐体１０の内壁１４との間に形成されている空間ＳＰ１が、基板７０ａへの配線に使用される。また、基板７０の端面７１と筐体１０の内壁１５との間に形成されている空間ＳＰ２が、基板７０への配線に使用される。ここで、図示しない電線は、筐体１０下方の引込口１９から引き込まれ、詳細には説明しないが、この引込口１９の隙間はパテ等によって封止される。また、図示しない電線をバンド等で締め付ける固定板１９ｂが設けられていて、作業を容易にするとともに、封止効果を維持する。
【００４８】
次に、扉２０を閉めるときの動作について説明する。
【００４９】
図４〜図６は、扉２０を閉めるときにおける扉固定具９０の動作を示す図である。
【００５０】
図４（１）は、扉２０に設けられているパッキン２３が、筐体１０の開口部の周縁１７に当接する位置まで、扉２０を回動させた状態を示す図であり、図４（２）は、図４（１）におけるＩＶ−ＩＶ’矢視図である。
【００５１】
図５（１）は、舌片９１の勾配部分９１ａが、開口部の周縁１７に接した状態を示す図であり、図５（２）は、図５（１）におけるＶ−Ｖ’矢視図である。
【００５２】
図６（１）は、舌片９１の平坦部分９１ｂが、開口部の周縁１７に接した状態を示す図であり、図６（２）は、図６（１）におけるＶＩ−ＶＩ’矢視図である。
【００５３】
図４に示すように、パッキン２３が周縁１７に接触するまで、扉２０を回動する。このとき、扉の周縁２２と筐体１０の開口部の周縁１７との間は、距離Ｌ１だけ離れている。続いて、図５で示すように、ハンドル９４を回転すると、周縁１７と勾配部分９１ａとが接する。さらに、ハンドル９４を回動すると、図６で示すように、扉の周縁２２が、筐体１０の開口部の周縁１７の側に引き寄せられ、パッキン２３が圧縮されて弾性変形し、平坦部分９１ｂと周縁１７とが接する。このとき、扉の周縁２２と、筐体１０の開口部の周縁１７との間の距離は、距離Ｌ２になる。なお、距離Ｌ２は距離Ｌ１よりも小さい。
【００５４】
火災受信機１００によれば、筐体１０の開口部１１を塞いだ扉２０と、それぞれ筐体１０側に設けられる基板７０と基板８０とがほぼ平行に設けられている。しかも、基板７０と基板８０とが間隔を空けて設けられている。さらに、基板７０の少なくとも一部と基板８０の少なくとも一部とが、基板７０の方向と直交する方向で互いに重なっているので、筐体１０内に２つの基板を有する火災受信機において、火災受信機１００の設置面積を、上記２つの基板を同一平面上に並べて設けたときよりもコンパクトにすることができる。そして、実施例として基板７０と基板８０とが若干ずれるように配置されている。これは、図示しない端子台に、筒状に形成された引込口１９からの電線を接続する作業を行いやすくするためである。
【００５５】
また、火災受信機１００によれば、基板搭載板３０の端部３１が蝶番３５を介して固定部５０に接続されているので、基板８０、７０ａの取付設定、配線作業または保守点検をする場合、基板搭載板３０を基板保持部６０から外して、基板搭載板３０を回動すれば、基板８０、７０ａの取付設定、配線作業または保守点検を容易に行うことができる。
【００５６】
また、火災受信機１００によれば、筐体１０内の基板７０と基板８０から筐体１０の周囲である内壁１４側および内壁１５側に空間ＳＰ１と空間ＳＰ２とが存在するので、基板７０ａ、８０への配線を、空間ＳＰ１を利用して行うことができ、基板７０への配線を、空間ＳＰ２を利用して行うことができ、図示しない電線を引き回しやすいので、基板７０、７０ａ、８０への配線がしやすくなる。
【００５７】
また、火災受信機１００によれば、パッキン２３を設け、扉２０を塞いだときに、パッキン２３を押しつぶすように、扉２０に対して、筐体１０の開口部の周縁１７を、蝶番２４と舌片９１とが付勢するので、火災受信機１００を船舶等、水がかかる環境に設置した場合、筐体１０の開口部の周縁１７と扉２０との隙間から、火災受信機１００内に水が入るおそれを阻止することができる。このときに、筐体１０がコンパクトに構成され、開口部の大きさが小さい方が効果的なのはもちろんである。
【００５８】
また、このとき、蝶番２４が筐体１０の周縁１７の外側と扉２０の周縁２２の外側とを接続しているので、蝶番２４を支点にパッキン２３全面を押すことができる。
【００５９】
なお、火災受信機１００には、３つの基板が設けられているが、４つ以上の基板が火災受信機に設けられている場合にも、上記実施例を適用することができる。
【００６０】
【発明の効果】
本発明によれば、火災受信機の筐体内に複数の基板を設けた場合、火災受信機の設置面積を、上記複数の基板を同一平面上に並べて設けたときよりもコンパクトにすることができるという効果を奏し、さらに、作業性がよいという効果を奏する。
【００６１】
また、請求項４に記載されている発明によれば、船舶に設置され、筐体とこの筐体の開口部を塞ぐ扉とを有する火災受信機において、上記開口部を上記扉によって塞いだ場合、上記扉と上記筐体の開口部の周縁との隙間から、上記火災受信機内に水が入ることを確実に阻止することができるという効果を奏する。
【図面の簡単な説明】
【図１】火災受信機１００の構成を示す斜視図である。
【図２】図１におけるＩＩ―ＩＩ’断面を示す火災受信機１００の断面図である。
【図３】火災受信機１００の正面図である。
【図４】扉２０を閉めるときの扉固定具９０の動作を示す図である。
【図５】扉２０を閉めるときの扉固定具９０の動作を示す図である。
【図６】扉２０を閉めるときの扉固定具９０の動作を示す図である。
【図７】従来の火災受信機２００を示す斜視図である。
【符号の説明】
１００…火災受信機、
１０…筐体、
１１…開口部、
１３、１４、１５…内壁、
１７…開口部の周縁、
２０…扉、
２３…パッキン、
３０、４０…基板搭載板、
７０、８０…基板、
８１…端部、
９０…扉固定具
９１…舌片、
９１ａ…勾配部分、
９１ｂ…平坦部分。
【図１】
0004297403.tif 000002
【図２】
0004297403.tif 000003
【図３】
0004297403.tif 000004
【図４】
0004297403.tif 000005
【図５】
0004297403.tif 000006
【図６】
0004297403.tif 000007
【図７】
0004297403.tif 000008